(57)【要約】【課題】磁気吸着によって保管庫が縦壁面に確実に取り付けられることと、大きい力を必要とすることなく保管庫を縦壁面から取り外すことができることとを両立すること。【解決手段】長方体形状の庫本体１０の背部に取り付けられマグネットユニット４０は長方形の磁気吸着面４６Ａを有し、磁気吸着面４６Ａの長手方向が庫本体１０の下縁１０Ｂに平行な方向をなすように、マグネットユニット４０が配置されている。【選択図】図４
2018196570.tif 000002
【特許請求の範囲】
【請求項１】
物品の保管を行う保管庫であって、
前方開口の少なくとも一つの保管室を画定する長方体形状の庫本体と、
前記庫本体に取り付けられて前記前方開口を開閉可能に閉じる開閉扉と、
前記庫本体の背部に取り付けられ、前記庫本体を磁気吸着によって常磁性を有する縦壁面に固定するための複数のマグネットとを有し、
前記マグネットは、長方形の磁気吸着面を有し、前記磁気吸着面の長手方向が前記庫本体の下縁に平行な方向をなしている保管庫。
【請求項２】
前記マグネットは上下方向に間隔をおいて少なくとも３段に設けられ、少なくとも最上段の前記マグネットの磁気吸着力が中間段の前記マグネットの磁気吸着力より大きい請求項１に記載の保管庫。
【請求項３】
前記庫本体の背部に取り付けられた常磁性材料によるマグネット取付金具を有し、
前記マグネット取付金具は前記背部から離れて水平方向に延在するマグネット取付面を有し、前記マグネット取付面に前記マグネットが取り付けられている請求項１又は２に記載の保管庫。
【請求項４】
前記庫本体の背部に取り付けられ、前記磁気吸着面が外方に露呈するための開口を有する常磁性材料による背面カバー板を有し、
前記磁気吸着面が前記背面カバー板より外方に突出した位置にある請求項１〜３の何れか一項に記載の保管庫。
【請求項５】
前記保管室と前記マグネットとの間に配置された磁気遮蔽部材を有する請求項１〜４の何れか一項に記載の保管庫。
【発明の詳細な説明】
【技術分野】
【０００１】
本発明は、保管庫に関し、更に詳細には、磁気吸着によって縦壁面に固定される保管庫に関する。
【背景技術】
【０００２】
保管庫として、床置き型で、庫本体の背面にマグネットシールが貼着され、マグネットシールが隣接する金属製ロッカの側面に磁気吸着することにより、地震等の揺れや作業者の衝突によって転倒しないように構成されたものが知られている（例えば、特許文献１）。
【先行技術文献】
【特許文献】
【０００３】
【特許文献１】特開２０１３−８７４８６号公報
【発明の概要】
【発明が解決しようとする課題】
【０００４】
庫本体が磁気吸着によって縦壁面に固定され、床上方に配置される縦壁直付けの保管庫では、床置き型のものとは異なって、収納物を含めた保管庫の総重量を磁気吸着によって支持しなくてはならず、保管庫が縦壁面に確実に取り付けられるためには、磁気吸着力が強いマグネットが必要になる。このため、大型のマグネットが必要になる。
【０００５】
磁気吸着力が強いマグネットが用いられると、一方において、保管庫の配置変え等に際して庫本体を縦壁面から取り外す際に大きい力が必要になる。
【０００６】
本発明が解決しようとする課題は、磁気吸着によって保管庫が縦壁面に確実に取り付けられることと、大きい力を必要とすることなく保管庫を縦壁面から取り外すことができることとを両立することである。
【課題を解決するための手段】
【０００７】
本発明の一つの実施形態による保管庫は、物品の保管を行う長方体形状の保管庫（１）であって、前方開口の少なくとも一つの保管室（２６）を画定する庫本体（１０）と、前記庫本体（１０）に取り付けられて前記前方開口を開閉可能に閉じる開閉扉（２８）と、前記庫本体（１０）の背部に取り付けられ、前記庫本体（１０）を磁気吸着によって常磁性を有する縦壁面（３）に固定するための複数のマグネット（４０）とを有し、前記マグネット（４０）は、長方形の磁気吸着面（４６Ａ）を有し、前記磁気吸着面（４６Ａ）の長手方向が前記庫本体の下縁に平行な方向をなしている。
【０００８】
この構成によれば、磁気吸着によって保管庫（１）が縦壁面（３）に確実に取り付けられることと、大きい力を必要とすることなく保管庫（１）を縦壁面（３）から取り外すことができることとが両立する。
【０００９】
上記保管庫において、好ましくは、前記マグネット（４０）は上下方向に間隔をおいて少なくとも３段に設けられ、少なくとも最上段の前記マグネット（４０）の磁気吸着力が中間段の前記マグネット（４０）の磁気吸着力より大きい。
【００１０】
この構成によれば、庫本体（１）が前倒れしないことを効果的に防止することができる。
【００１１】
上記保管庫は、好ましくは、前記庫本体（１０）の背部（１８）に取り付けられた常磁性材料によるマグネット取付金具（３８）を有し、前記マグネット取付金具（３８）は前記背部（１８）から離れて水平方向に延在するマグネット取付面（３８Ａ）を有し、前記マグネット取付面（３８Ａ）に前記マグネットが取り付けられている。
【００１２】
この構成によれば、磁気シールド効果が得られ、各マグネット（４０）の磁気が保管室（２６）内におよび難くなる。
【００１３】
上記保管庫は、好ましくは、前記庫本体（１０）の背部（１８）に取り付けられ、前記磁気吸着面（４６Ａ）が外方に露呈するための開口（５０）を有する常磁性材料による背面カバー板（４８）を有し、前記磁気吸着面（４６Ａ）が前記背面カバー板（４８）より外方に突出した位置にある。
【００１４】
この構成によれば、磁気シールド効果が得られ、各マグネット（４０）の磁気が保管室（２６）内におよび難くなる。
【００１５】
上記保管庫は、好ましくは、前記保管室（２６）と前記マグネット（４０）との間に配置された磁気遮蔽部材（５２）を有する。
【００１６】
この構成によれば、磁気シールド効果が得られ、各マグネット（４０）の磁気が保管室（２６）内におよび難くなる。
【発明の効果】
【００１７】
本発明による保管庫によれば、磁気吸着によって保管庫が縦壁面に確実に取り付けられることと、大きい力を必要とすることなく保管庫を縦壁面から取り外すことができることとが両立する。
【図面の簡単な説明】
【００１８】
【図１】本発明による保管庫の実施形態を示す正面図
【図２】本実施形態による保管庫の側面図
【図３】本実施形態による保管庫の部分拡大図を含む背面図
【図４】本実施形態による保管庫の背面カバー板を取り外した状態の背面図
【図５】本実施形態による保管庫の部分拡大図を含む縦断面図
【図６】本発明による保管庫の他の実施形態を示す正面図
【図７】他の実施形態による保管庫の背面図
【図８】本発明による保管庫の他の実施形態を示す正面図
【図９】他の実施形態による保管庫の背面図
【図１０】本発明による保管庫の壁面への取付構造の他の実施形態を示す斜視図
【発明を実施するための形態】
【００１９】
以下に、本発明による保管庫の一つの実施形態を、図１〜図５を参照して説明する。
【００２０】
保管庫１は庫本体１０を有する。庫本体１０は、図１および図２に示されているように、鋼板等の常磁性材料による天井板１２、底板１４、左右の側板１６および背板（後板）１８により前方開口の長方体形状に構成され、左右の中間部に金属製の仕切板２０を有する。各側板１６及び仕切板２０の各々には、図２および図５に示されているように、上下４箇所に奥行き方向（前後方向）に略水平に延在するアングル材による棚受け金具２２が取り付けられている。同じ高さにあって左右に対をなす各棚受け金具２２上には棚板２４が取り付けられている。これにより、庫本体１０は、縦長で、前方開口の保管室２６を左右２列、上下５段に画定する。各保管室２６は携帯電話や財布等の貴重品を保管するのに適した大きさ（容積）であればよい。
【００２１】
背板１８の前面、つまり保管室２６側の面には磁気遮蔽シート（磁気シールドシート）５２が貼着されている。磁気遮蔽シート５２は軟磁性層及び複数のＰＥＴフィルム層等を含むラミネート構造が用いられてよい。
【００２２】
庫本体１０には、図１に示されているように、保管室２６毎に保管室２６の前方開口を開閉可能に閉じる開閉扉２８が軸３０によって取り付けられている。各開閉扉２８には開閉摘み３２及びダイアルロック（ナンバーロック）３４が取り付けられている。各開閉扉２８には透明板ガラスによってシールドされた窓３６が設けられている。
【００２３】
背板１８の背面には、図３〜図５に示されているように、上下５箇所にマグネット取付金具３８が取り付けられている。マグネット取付金具３８は、鋼板等の常磁性材料による鍔付き溝形断面形状のプレス成形品であり、背板１８から後方に離れて、つまり空間をおいて水平方向に延在する帯状のマグネット取付面３８Ａを有する。最上段のマグネット取付金具３８は、背板１８の上縁、換言すると、庫本体１０の上縁１０Ａに沿って極接近して設けられている。最下段のマグネット取付金具３８は背板１８の下縁、換言すると、庫本体１０の下縁１０Ｂに沿って極接近して設けられている。
【００２４】
各マグネット取付金具３８のマグネット取付面３８Ａには複数のマグネットユニット４０が取り付けられている。これにより、各マグネットユニット４０は、上下方向に間隔をおいて５段に設けられる。各マグネットユニット４０は、マグネットキャッチに用いられる市販品のものであってよく、樹脂製或いは非磁性金属製のケース４２と、ケース４２に収容された２枚の矩形板状のマグネット本体４４及び各マグネット本体４４の両側に配置された合計３枚の矩形のヨーク板４６とを含む。なお、マグネット本体４４はケース４２に固定されているが、各マグネット本体４４はケース４２に小さい角度範囲で揺動可能に取り付けられている。
【００２５】
各ヨーク板４６の後端面はマグネット本体４４の後端面より少し後方に突出していて長方形の磁気吸着面４６Ａをなしている。各マグネットユニット４０は磁気吸着面４６Ａの長手方向（長寸方向）が庫本体１０の上縁１０Ａ及び下縁１０Ｂに平行な方向をなすようにマグネット取付金具３８に取り付けられている。なお、磁気吸着面４６Ａの長手方向は、庫本体１０の上縁１０Ａに平行な方向とも云える。
【００２６】
マグネットユニット４０は、大小２種類のものが用いられている。最上段、最下段及び上から３段目には、小型のマグネットユニット４０が、上下２段、左右に６個ずつ整列して合計で１２個設けられている。上から２段目及び４段目には、大型のマグネットユニット４０が、上下２段、左右に２個ずつ整列して合計で４個設けられている。この各段のマグネットユニット４０の設定により、最上段、最下段及び上から３段目の複数のマグネットユニット４０による合計の磁気吸着力は、上から２段目及び４段目の複数のマグネットユニット４０による合計の磁気吸着力より大きい。
【００２７】
背板１８には鋼板等の常磁性材料による背面カバー板４８が背板１８に対して前後方向の間隙をおいて平行に取り付けられている。背面カバー板４８には、各マグネットユニット４０の磁気吸着面４６Ａが外方（後方）に露呈するための開口５０が形成されている。背面カバー板４８は、各磁気吸着面４６Ａが背面カバー板４８より所定量だけ外方（後方）に突出した位置に位置するように、背板１８に対する前後方向の取付位置を設定されている。
【００２８】
保管庫１は、床上方に配置される縦壁直付けの保管庫であり、各マグネットユニット４０の磁気吸着面４６Ａが鋼板製等の常磁性材料製の垂直な縦壁３がなす縦壁面５に磁気吸着することにより縦壁３に固定される。図示されているように、保管庫１が縦壁３に固定された状態では、庫本体１０の上縁１０Ａ及び下縁１０Ｂは水平方向に延在する。
【００２９】
各段の各マグネットユニット４０は磁気吸着面４６Ａの長手方向が庫本体１０の下縁１０Ｂの延在方向、つまり、保管庫１が縦壁３に固定された状態では水平方向になる配置であることにより、側面に人や物が衝突し、保管庫１が縦壁面５に対して水平方向にずれ動こうとする方向と磁気吸着面４６Ａの長手方向とが同方向になり、磁気吸着面４６Ａの長手方向が上下方向になる配置の場合に比して小さい磁気吸着力をもって保管庫１の水平方向のずれ動きを防ぐこととができる。
【００３０】
保管庫１が縦壁面５の前方に出っ張って保管物を含む保管庫１の重心が縦壁面５から前側に離れた位置にあることから、保管庫１が縦壁面５から外れようとする動きは、多くの場合、庫本体１０の下縁を支点として庫本体１０の上側が縦壁面５から前側へ離れようとする前倒れであり、庫本体１０の下縁を中心としたモーメントＭ（図２参照）が生じる。
【００３１】
庫本体１０の下縁から最も離れた位置にある最上段の各マグネットユニット４０の磁気吸着面４６Ａの長手方向が水平方向になる配置であるから、これが上下方向になる配置の場合に比して磁気吸着面４６Ａの中点が庫本体１０の下縁から離れた位置に位置することになり、保管庫１が縦壁面５から外れようとするモーメントＭを効果的に受け止める。これにより、保管庫１が前倒れしないことを、磁気吸着面４６Ａの長手方向が上下方向になる配置である場合に比して小さい磁気吸着力をもって保管庫１の前倒れを防止することができる。
【００３２】
この効果は、最上段のマグネットユニット４０の合計の磁気吸着力が、２段目や４段目の中間段のマグネットユニット４０による合計の磁気吸着力より大きいことにより、より顕著になる。
【００３３】
これらのことにより、磁気吸着力が強い大型のマグネットが不要になる。
【００３４】
保管庫１が縦壁３に取り付けられた状態では、背面カバー板４８と縦壁面５との間に、背面カバー板４８からのマグネットユニット４０の突出量分の隙間Ｔ（図２参照）ができているから、保管庫１を縦壁３から取り外す作業は、庫本体１０の側方から背面カバー板４８と縦壁面５との間の隙間Ｔに板状或いは棒状の工具を挿入し、工具を梃子のように動かして保管庫１が縦壁面５から離れ方向の力を庫本体１０に与え、磁気吸着面４６Ａを縦壁面５から剥離することによって行う。この剥離は、磁気吸着面４６Ａの長手方向に沿って行われるから、磁気吸着力が強い大型のマグネットが不要になっていることと相まって、大きい力を必要とすることなく保管庫１を縦壁３から取り外すことができる。
【００３５】
各マグネットユニット４０は、マグネット取付金具３８のマグネット取付面３８Ａに取り付けられていることにより、各マグネットユニット４０の配置部と背板１８との間に空隙ができるので、各マグネットユニット４０の磁気（磁束）が保管室２６内に作用し難くなる。これにより、保管室２６に保管された電子機器に強い磁気が作用することが回避される。
【００３６】
また、各マグネットユニット４０は、常磁性を有する背板１８と背面カバー板４８との間の空間に配置されていることにより、磁気シールド効果が得られ、各マグネットユニット４０の磁気が保管室２６内におよび難くなる。
【００３７】
更には、磁気遮蔽シート５２が設けられていることにより、各マグネットユニット４０の磁気が保管室２６内におよび難くなる。
【００３８】
これらのことにより、保管室２６に携帯電話等の電子機器が保管されても、電子機器に強い磁気が作用することがなく、電子機器に磁気的な悪影響が与えられることがない。
【００３９】
保管庫１の壁面への取り付けの他の実施形態を、図１０を参照して説明する。この実施形態は、縦壁６０が、石膏ボードやコンクリート等、磁気吸着性を有していない場合に、保管庫１を縦壁６０に取り付ける実施形態である。
【００４０】
この取付構造では、アンカボルト６２等によって縦壁６０に固定されるボード６４が用いられる。ボード６４は、鋼板等の常磁性材料製の平板で、保管庫１の背板１８より少し大きい寸法の矩形のものである。
【００４１】
保管庫１は、各マグネットユニット４０の磁気吸着面４６Ａ（図３参照）がボード６４の表面６４Ａに磁気吸着することにより、ボード６４を介して縦壁６０に固定される。これにより、磁気吸着性を有していない縦壁６０に保管庫１を取り付けることができる。
【００４２】
更に、この実施形態では、ボード６４に固定された保管庫１の庫本体１０の上下左右の４隅に対応するボード６４の各位置に、鋼材等の常磁性材料製の直角のコーナアングル金具６６が溶接等によって接合されている。各コーナアングル金具６６は、ボード６４の表面６４Ａから前方に突出し、庫本体１０の対応する隅部を隙間なく受容する。
【００４３】
コーナアングル金具６６が設けられたことにより、保管庫１に横から人等がぶつかっても、保管庫１が縦壁６０に対してずれ動くことが、より一層確実に防止される。
【００４４】
尚、コーナアングル金具６６、更にはボード６４に、焼付塗装仕上げが施されていてよい。これにより、見栄えのよいものになる。
【００４５】
以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、保管室２６の配列及び個数は、２列５段の１０個に限られることはなく、５列１０段の５０個等であってもよい。また、図６及び図７に示されているように、５列２段等の横長のものであっても、図８及び図９に示されているように、保管室２６の個数が１個であっても、図１０に示されているように、１列多段等であってもよい。何れの場合も、マグネットユニット４０は磁気吸着面４６Ａの長手方向が庫本体１０の下縁１０Ｂ（上縁１０Ａ）に平行な方向をなすように配置される。
【００４６】
また、上記実施形態に示した構成要素は必ずしも全てが必須なものではなく、本発明の趣旨を逸脱しない限りにおいて適宜取捨選択することが可能である。
【符号の説明】
【００４７】
１      ：保管庫
３      ：縦壁
５      ：縦壁面
１０    ：庫本体
１０Ａ  ：上縁
１０Ｂ  ：上縁
１２    ：天井板
１４    ：底板
１６    ：側板
１８    ：背板（背部）
２０    ：仕切板
２２    ：棚受け金具
２４    ：棚板
２６    ：保管室
２８    ：開閉扉
３０    ：軸
３２    ：開閉摘み
３６    ：窓
３８    ：マグネット取付金具
３８Ａ  ：マグネット取付面
４０    ：マグネットユニット
４２    ：ケース
４４    ：マグネット本体
４６    ：ヨーク板
４６Ａ  ：磁気吸着面
４８    ：背面カバー板
５０    ：開口
５２    ：磁気遮蔽シート（磁気遮蔽部材）
６０      ：縦壁
６２      ：アンカボルト
６４      ：ボード
６４Ａ    ：表面
６６      コーナアングル金具
【図１】
2018196570.tif 000003
【図２】
2018196570.tif 000004
【図３】
2018196570.tif 000005
【図４】
2018196570.tif 000006
【図５】
2018196570.tif 000007
【図６】
2018196570.tif 000008
【図７】
2018196570.tif 000009
【図８】
2018196570.tif 000010
【図９】
2018196570.tif 000011
【図１０】
2018196570.tif 000012